(57)【要約】【課題】デンタルフロスの張り具合を調整し易いとともに、一端張設したフロスが緩み難く、しかも歯間清掃時に扱い易いデンタルフロスホルダを提供する。【解決手段】把持部と、デンタルフロスを張設させる張設部とを備えるデンタルフロスホルダにおいて、張設部は、デンタルフロスが横架される一対のアーム部と、一対のアーム部の外側から突出し、デンタルフロスを巻き付け可能な巻付部と、一対のアーム部の先端に切り込まれる切込部と、一対のアーム部の長さ方向に沿って設けられ、デンタルフロスを案内する案内部と、一対のアーム部の先端近傍に突出し、デンタルフロスを係止させる係止部と、を含み、デンタルフロスを切込部に通し、しかもデンタルフロスを係止部に係止させつつ、先端近傍にデンタルフロスを巻き付ける。【選択図】図１
2017108931.tif 000002
【特許請求の範囲】
【請求項１】
細長い把持部と、前記把持部の前端部に設けられてデンタルフロスを張設させる張設部とを備えるデンタルフロスホルダにおいて、
前記張設部は、
前記前端部から分岐して前方に延設される一対のアーム部であり、その先端間に前記デンタルフロスが横架される一対のアーム部と、
前記前端部近傍であって、前記一対のアーム部のそれぞれの側部から突出し、前記デンタルフロスを巻き付ける巻付部と、
前記一対のアーム部のそれぞれの先端に切り込まれる切込部と、
前記一対のアーム部のそれぞれの長さ方向に沿って設けられ、前記デンタルフロスを案内する案内部と、
前記それぞれの先端近傍に突出し、前記デンタルフロスを係止させる係止部と、を含み、
前記デンタルフロスを前記切込部に通し、しかも前記デンタルフロスを前記係止部に係止させつつ、前記先端近傍に前記デンタルフロスを巻き付けることを特徴とするデンタルフロスホルダ。
【請求項２】
前記アーム部は、前記先端が下方を向くように中途で湾曲形成されることを特徴とする請求項１記載のデンタルフロスホルダ。
【請求項３】
前記案内部は、溝部及び／又は前記アーム部の上面から下がる段部を含むことを特徴とする請求項１又は２記載のデンタルフロスホルダ。
【請求項４】
前記係止部は、前記先端近傍の上面から前方に突出することを特徴とする請求項１〜３のいずれかに記載のデンタルフロスホルダ。
【請求項５】
前記巻付部は、前記側部から突出する四角柱状の巻付芯材と、前記巻付芯材の断面積より広い面積の板材であり、前記側部に略平行に配置され、前記巻付芯材の先端に設けられるカバー板材とを備え、前記カバー板材は、前記側部に向って突出する突起部を含むことを特徴とする請求項１〜４のいずれかに記載のデンタルフロスホルダ。
【請求項６】
前記把持部は、その後端部に舌クリーナを突出させること特徴とする請求項１〜５のいずれかに記載のデンタルフロスホルダ。
【発明の詳細な説明】
【技術分野】
【０００１】
本発明は、歯と歯の間を清掃するデンタルフロスを貼設させるデンタルフロスホルダに関する。
【背景技術】
【０００２】
従来、歯と歯の間を清掃する歯間清掃の際に、デンタルフロスを用いることの重要性が指摘されている。その清掃の際、デンタルフロスの端を両手でそれぞれ持って歯間を清掃する方法もあるが、清掃時に手が邪魔になって清掃し辛いこともあり、デンタルフロスを張設させるデンタルフロスホルダが良く用いられる。
【０００３】
このデンタルフロスホルダは、デンタルフロスがデンタルフロスホルダにあらかじめ取り付けられた使い捨て型と、デンタルフロスを取り換えることが可能な交換型とがある。交換型は、使用者に合わせてフロスの張り具合を調整できるメリットや、衛生上のメリットがあり、最近広く用いられるようになっている。
【０００４】
この交換型のデンタルフロスホルダに関し種々の提案がされている（例えば特許文献１参照）。
【先行技術文献】
【特許文献】
【０００５】
【特許文献１】特開２０１４−１８３８７４号公報
【発明の概要】
【発明が解決しようとする課題】
【０００６】
特許文献１によれば、把持部である本体部（５０）に形成された連結部（５２Ａ）に連結可能な基部側連結部（１１Ａ）が一方の端部に形成された基部（１１）と、基部（１１）の他方の端部においてＵ字状をなして分岐し、分岐先においてデンタルフロス（３０）が張設可能に形成された分岐部（１２）と、分岐部（１２）の前端部分にデンタルフロス（３０）を張設するための張設用溝（１４）と、係止体（１５）が形成され、基部（１１）の他方の端部には、デンタルフロス（３０）を係止するための係止部（１３）が配設されるデンタルフロスホルダ（１０）が開示されている。
【０００７】
この特許文献１のデンタルフロスホルダ（１０）によれば、分岐部（１２）がＵ字状をなして分岐する基部（１１）の他方の端部に、係止部（３０）が配設される構成となっている。しかし、Ｕ字状をなして分岐する近傍は、歯間清掃の際に、例えば親指或いは人先指を添えながらデンタルフロスホルダを動かすこともあり、その際、係止部（３０）が邪魔になり、清掃し難くなる虞があるという問題がある。
【０００８】
そのため、係止部（３０）を手指の邪魔にならない箇所、例えば基部（１１）の中間位置に配設する等が考えられる。このような位置に配設した場合、フロスを張設する距離が長くなり、歯間清掃時に長いデンタルフロスが必要になる等、デンタルフロスの無駄が生じる虞があるという問題がある。
【０００９】
そこで、本発明は、このような実情に鑑みてなされたものであり、その目的は、デンタルフロスの張り具合を調整し易いとともに、一旦張設したフロスが緩み難く、しかも歯間清掃時に扱い易いデンタルフロスホルダを提供することにある。
【課題を解決するための手段】
【００１０】
請求項１の発明は、細長い把持部と、前記把持部の前端部に設けられてデンタルフロスを張設させる張設部とを備えるデンタルフロスホルダにおいて、前記張設部は、前記前端部から分岐して前方に延設される一対のアーム部であり、その先端間に前記デンタルフロスが横架される一対のアーム部と、前記前端部近傍であって、前記一対のアーム部のそれぞれの側部から突出し、前記デンタルフロスを巻き付ける巻付部と、前記一対のアーム部のそれぞれの先端に切り込まれる切込部と、前記一対のアーム部のそれぞれの長さ方向に沿って設けられ、前記デンタルフロスを案内する案内部と、前記それぞれの先端近傍に突出し、前記デンタルフロスを係止させる係止部と、を含み、前記デンタルフロスを前記切込部に通し、しかも前記デンタルフロスを前記係止部に係止させつつ、前記先端近傍に前記デンタルフロスを巻き付ける、デンタルフロスホルダである。
【００１１】
請求項２の発明は、請求項１記載のデンタルフロスホルダにおいて、前記アーム部は、前記先端が下方を向くように中途で湾曲形成されることを特徴とする。
【００１２】
請求項３の発明は、請求項１又は２記載のデンタルフロスホルダにおいて、前記案内部は、溝部及び／又は前記アーム部の上面から下がる段部を含むことを特徴とする。
【００１３】
請求項４の発明は、請求項１〜３のいずれかに記載のデンタルフロスホルダにおいて、前記係止部は、前記先端近傍の上面から前方に突出することを特徴とする。
【００１４】
請求項５の発明は、請求項１〜４のいずれかに記載のデンタルフロスホルダにおいて、前記巻付部は、前記側部から突出する四角柱状の巻付芯材と、前記巻付芯材の断面積より広い面積の板材であり、前記側部に略平行に配置され、前記巻付芯材の先端に設けられるカバー板材とを備え、前記カバー板材は、前記側部に向って突出する突起部を含むこと特徴とする。
【００１５】
請求項６の発明は、請求項１〜５のいずれかに記載のデンタルフロスホルダにおいて、前記把持部は、その後端部に舌クリーナを突出させること特徴とする。    
【発明の効果】
【００１６】
本発明によれば、細長い把持部と、前記把持部の前端部に設けられてデンタルフロスを張設させる張設部とを備えるデンタルフロスホルダにおいて、前記張設部は、前記前端部から分岐して前方に延設される一対のアーム部であり、その先端間に前記デンタルフロスが横架される一対のアーム部と、前記前端部近傍であって、前記一対のアーム部のそれぞれの側部から突出し、前記デンタルフロスを巻き付ける巻付部と、前記一対のアーム部のそれぞれの先端に切り込まれる切込部と、前記一対のアーム部のそれぞれの長さ方向に沿って設けられ、前記デンタルフロスを案内する案内部と、前記それぞれの先端近傍に突出し、前記デンタルフロスを係止させる係止部と、を含み、前記デンタルフロスを前記切込部に通し、しかも前記デンタルフロスを前記係止部に係止させつつ、前記先端近傍に前記デンタルフロスを巻き付ける構成であるから、一対のアーム部の先端間に張設されたデンタルフロスの張り具合を所望の張り具合に調整し、その張り具合を維持した状態でデンタルフロスを先端近傍に緊縛でき、更に、デンタルフロスの両端は、巻付部にそれぞれ緊縛できるので、デンタルフロスの張り具合を調整し易いとともに、一旦張設したデンタルフロスが緩み難いデンタルフロスホルダを提供できる。加えて本発明によれば、一対のアーム部が分岐する箇所としての把持部の前端部近傍を略平坦な形状とすることができるので、歯間の清掃時に当該箇所に指を添え易くなり、歯間清掃し易いデンタルフロスホルダを提供できる。
【００１７】
また、前記アーム部は、前記先端が下方を向くように中途で湾曲形成される構成であるから、前腕を略水平にした自然な状態で把持歯間清掃時の操作が可能となるので、操作性に優れるデンタルフロスホルダを提供できる。
【００１８】
また、前記案内部は、溝部及び／又は前記アーム部の上面から下がる段部を含む構成であるから、簡単な構造で案内部を形成できる。
【００１９】
また、前記係止部は、前記アーム部の先端近傍の上面から前方に突出する構成であるから、アーム部の先端間にデンタルフロスを横架した場合、その横架方向に略直交方向に突出するので、デンタルフロスで歯間を清掃する際に、係止部が舌の側部や頬粘膜に触れにくいので歯間清掃をし易いデンタルフロスホルダを提供できる。
【００２０】
また、前記巻付部は、前記側部から突出する四角柱状の巻付芯材と、前記巻付芯材の断面積より広い面積の板材であり、前記側部に略平行に配置され、前記巻付芯材の先端に設けられるカバー板材とを備え、前記カバー板材は、前記側部に向って突出する突起部を含む構成であるから、巻付芯材に巻き付けたデンタルフロスに当該芯材からほどける力が働いても、突起部で押さえられるのでデンタルフロスが更に緩み難いデンタルフロスホルダを提供できる。
【００２１】
また、前記把持部は、その後端部に舌クリーナを突出させる構成であるから、歯間清掃のみならず舌の清掃も可能となり、利便性が高いデンタルフロスホルダを提供できる。
【図面の簡単な説明】
【００２２】
【図１】本発明の実施形態に係るデンタルフロスホルダの斜視図である
【図２】本発明の実施形態に係るデンタルフロスホルダの平面図及び左側面図である。
【図３】本発明の実施形態に係るデンタルフロスホルダの巻付部を説明する斜視図及び一部平面図である。
【図４】本発明の実施形態に係るデンタルフロスホルダにデンタルフロスを装着する方法を説明する一部側面図である。
【図５】本発明の実施形態に係るデンタルフロスホルダにデンタルフロスを装着した様子を説明する一部斜視図である。
【図６】本発明の実施形態に係るデンタルフロスホルダの変形例を説明する側面図及び一部底面図である。
【発明を実施するための形態】
【００２３】
本発明のデンタルフロスホルダは、手で把持可能な把持部と、その前端部に配置されてデンタルフロスを張設させる張設部とを備えるものである。そして、張設部は、把持部の前端部からＵ字状或いはＹ字状に分岐して前方に延設される一対のアーム部であり、そのアーム部の先端間にデンタルフロスが横架される一対のアームと、前記前端部近傍であって、一対のアーム部のそれぞれの側部から側方に突出し、デンタルフロスを巻き付け可能な巻付部と、前記アーム部の先端に切り込まれた切込部と、アーム部の上面側にその長さ方向に沿って設けられ、デンタルフロスを先端近傍まで案内する案内部と、アーム部の先端近傍に突出し、前記デンタルフロスを係止させる係止部と、を含み、前記デンタルフロスを前記切込部に通し、しかも前記デンタルフロスを前記係止部に係止させつつ、前記先端近傍に前記デンタルフロスを巻き付けるものである。
【００２４】
以下、本発明の好適な実施形態の例について、図を用いて説明する。
本実施形態のデンタルフロスホルダ１０は、例えば合成樹脂で形成され、図１及び図２に示す様に、把持部１２と、張設部１４とを備える。なお、図２（ａ）は、本実施形態のデンタルフロスホルダ１０の平面図であり、図２（ｂ）は、その左側面図である。
先ず、把持部１２は、図１及び図２に示す様に、片手で把持できる程度のサイズで細長い板状本体部材１１と、板状本体部材１１を補強する帯状部材２９とを備える。
なお、本実施形態の板状本体部材１１は、図１及び図２に示す様に、把持部１２の前端部１５近傍を縮幅して、手で握りやすく、操作し易い形状としている。
また、帯状部材２９は、板状本体部材１１を補強する補強手段であり、図１及び図２に示す様に、板状本体部材１１の両側縁１３ａ，１３ｂ及び後縁１３ｃに沿って、下方に突設される壁板状部材で形成される。
そして、把持部１２は、図１及び図２に示す様に、その前端部１５に、後述する張設部１４を備える。
また、把持部は、本実施形態の板状に限らず、例えば棒状の様に、把持可能な形状で形成されてもよい。
【００２５】
次に、本実施形態の要部である張設部１４は、図１及び図２に示す様に、一対のアーム部１６ａ，１６ｂと、巻付部１８ａ，１８ｂと、切込部２０ａ，２０ｂと、案内部２１ａ，２１ｂと、係止部２４ａ，２４ｂ等を備える。
先ず、アーム部１６ａ，１６ｂは、図１及び図２に示す様に、四角柱状の棒状部材を含み、その先端２７ａ，２７ｂが下方を向くように、その中途で湾曲形成される。そして、アーム部１６ａ，１６ｂは、図１及び図２に示すように、把持部１２の前端部１５から、前方に延設される。より詳しくは、本実施形態のアーム部１６ａ，１６ｂは、図１及び図２に示す様に、前端部１５の左右それぞれの端から、把持部１２の長手方向に沿って前方に延設される。
【００２６】
すなわち、アーム部１６ａ，１６ｂは、図１及び図２に示すように、把持部１２の前端部１５に、左右方向に間隔を設けて対向配置される。このように、張設部１４は、図１及び図２（ａ）に示すように、把持部１２の前端部１５から左右に分岐して前方に延設される一対のアーム部１６ａ，１６ｂを備える構成となっているのである。
なお、本実施形態の一対のアーム部は、平面視略Ｕ字状に形成されるが、Ｕ字状に限るものではなく、略Ｖ字状であっても良い。
また、アーム部は、本実施形態のように湾曲形成されるものに限らず、略真っすぐに形成されてもよい。
そして、後述するように、アーム部１６ａ，１６ｂの先端間にデンタルフロスＦが横架される。
【００２７】
次に、アーム部１６ａ，１６ｂは、図１及び図２に示す様に、それぞれの先端２７ａ，２７ｂに、切込部２０ａ，２０ｂを備える。
本実施形態の切込部２０ａ，２０ｂは、図１及び図２に示す様に、先端２７ａ，２７ｂから略上方に向って、略Ｖ字状に切り込まれる切込口で形成される。
【００２８】
次に、アーム部１６ａ，１６ｂにそれぞれ配置される巻付部１８ａ，１８ｂについて、図３を用いて説明する。図３（ａ）は、巻付部１８ａ，１８ｂの斜視説明図であり、図３（ｂ）は、巻付部１８ａの部分を拡大した一部平面図である。
巻付部１８ａ，１８ｂは、図３に示す様に、それぞれ、巻付芯材２６と、カバー板材２８と、突起部３０とを備える。
巻付芯材２６は、図３に示す様に、例えばアーム部１６ａ，１６ｂの断面積の略４分の１程度の断面積を有し、デンタルフロスの直径の略１０倍程度の長さを有する四角柱片で形成される。そして、巻付芯材２６は、図１及び図３（ｂ）に示す様に、把持部１２の前端部１５近傍であって、一対のアーム部１６ａ，１６ｂの外側の側部２３ａ，２３ｂから側方にそれぞれ突設される。より詳しくは、巻付芯材２６は、図２（ａ）及び図３（ｂ）に示す様に、アーム部１６ａの右側部と、アーム部１６ｂの左側部に配置される。言い換えると、巻付芯材２６は、対向するアーム部１６ａ，１６ｂの対向する側と反対する側部にそれぞれ配置される。
そして、巻付芯材２６の側周にデンタルフロスＦを巻き付けることができる。
【００２９】
次に、カバー板材２８は、図３に示す様に、例えば巻付芯材２６の断面積より広い面積を有する略楕円状の平板部材で形成される。そして、カバー板材２８は、図２（ａ）及び図３に示す様に、アーム部１６ａの側部２３ａに略平行に配置されるとともに、巻付芯材２６の先端が、カバー板材２８の中央部に位置する様に配置され、巻付芯材２６の先端に固設される。
【００３０】
本実施形態のカバー板材２８は、図３に示す様に、カバー板材２８の背面側からアーム部１６ａの側部２３ａに向って突出する突起部３０を備える。この突起部３０と側部２３ａとの間隔は、少なくともデンタルフロスＦの直径よりやや広く形成される。
このように、本実施形態のデンタルフロスホルダ１０は、把持部１２の前端部１５近傍であって、一対のアーム部１６ａ，１６ｂの外側から突出し、デンタルフロスＦを巻き付ける巻付部１８ａ，１８ｂを備える構成となっているのである。
【００３１】
次に、アーム部１６ａ，１６ｂにそれぞれ設けられる案内部２１ａ，２１ｂについて、図１及び図２を用いて説明する。
アーム部１６ａ，１６ｂは、図１及び図２に示すように、その上縁であり、向かい合う側と反対側、すなわち外側の上縁に沿って、アーム部１６ａ，１６ｂの上面から下がる段差を有する段部１７ａ，１７ｂを備える。より詳しくは、段部１７ａ，１７ｂの前記段差及び幅は、段部１７ａ，１７ｂにデンタルフロスＦを這わせることが可能な程度、例えばデンタルフロスＦの直径の略５〜７倍程度で形成される。また、段部１７ａ，１７ｂの長さは、図１及び図２に示す様に、上述した巻付部１８ａ，１８ｂの近傍から、アーム部１６ａ，１６ｂの切込部２０ａ，２０ｂ近傍までの長さで形成される。
【００３２】
また、アーム部１６ａ，１６ｂは、図１及び図２に示すように、アーム部１６ａ，１６ｂの上面と略同じ高さとなる壁板材１９ａ、１９ｂを、段部１７ａ，１７ｂに沿って配置する。より詳しくは、案内部２１ａ，２１ｂからやや離れた段部１７ａ，１７ｂの中途から、切込部２０ａ，２０ｂ近傍まで配置される。図１及び図２に示す様に、壁板材１９ａ，１９ｂと、段部１７ａ，１７ｂとで、アーム部１６ａ，１６ｂの長さ方向に沿った溝部２２ａ，２２ｂを形成する。
【００３３】
そして、巻付部１８ａ，１８ｂから壁板材１９ａ、１９ｂまでの段部１７ａ，１７ｂの部分及び溝部２２ａ，２２ｂは、デンタルフロスＦを張設する際にデンタルフロスＦを案内する案内部２１ａ，２１ｂを構成するのである。
本実施形態の案内部２１ａ，２１ｂは、段部及び溝部を含むが、案内部は、溝部だけで形成されていても良いし、段部だけで形成されていても良い。
この様に、案内部２１ａ，２１ｂは、溝部２２ａ，２２ｂ及び／又はアーム部１６ａ，１６ｂの上面から下がる段部１７ａ，１７ｂを含む構成となっているのである。
【００３４】
次に、係止部２４ａ，２４ｂは、図１及び図２に示す様に、アーム部１６ａ，１６ｂの先端近傍の上面２９ａ，２９ｂから、デンタルフロスＦの直径の略３〜４倍の高さで、前方に突出する突出片で形成される。本実施形態の係止部２４ａ，２４ｂは、図２に示す様に、アーム部１６ａ，１６ｂの上面２９ａ，２９ｂと、係止部２４ａ，２４ｂの上側側面とで成す角度が、９０度より小さい角度で形成される。このような角度で形成することで、デンタルフロスＦが、係止部２４ａ，２４ｂの基端に係止し易くなる。
また、係止部は、本実施形態の様に、前方に突出するものに限らず、側方に突出してもよい。
このように、本実施形態のデンタルフロスホルダ１０は、一対のアーム部１６ａ，１６ｂのそれぞれの先端２７ａ，２７ｂの近傍に突出し、デンタルフロスＦを係止させる係止部２４ａ，２４ｂを含む構成となっているのである。
【００３５】
次に、このように形成されるデンタルフロスホルダ１０に、デンタルフロスを装着する方法について、図４及び図５を用いて説明する。
先ず、図４（ａ）に示す様に、例えば所定の長さのデンタルフロスＦの一端側を、一対のアーム部１６ａ，１６ｂのうち一方のアーム部１６ｂの巻付部１８ｂに巻き付ける。その際、デンタルフロスＦを巻き付ける巻付芯材２６ｂは四角柱状で形成されるので、円柱状或いは楕円状よりもきつく巻き付けることができ、緩み難い。また、デンタルフロスＦを巻付芯材２６ｂと突起部３０との間に巻き付けることで、巻き付けた後に、デンタルフロスＦに巻き付けを緩ませる力が働いても、デンタルフロスＦの動きは突起部３０で規制されるので、緩み難くなる。
【００３６】
次に、図４（ｂ）に示す様に、デンタルフロスＦを案内部２１ｂに沿って張設する。より詳しくは、デンタルフロスＦを段部１７ｂの上面に沿って這わせるように張設すると作業し易い。また、案内部２１ｂは、溝部２２ｂを備えているので、案内部２１ｂからデンタルフロスＦが外れ難い。
【００３７】
次に、図４（ｃ）に示す様に、例えばデンタルフロスＦを切込部２０ｂに通しつつ、アーム部１６ｂの先端近傍部分であり、切込部２０ｂから上述した上面２９ｂまでの巻付部分３３ｂに複数回巻き付ける。その際、図４（ｃ）及び図５に示す様に、デンタルフロスＦを係止部２４ｂに係止させつつ巻き付けるとよい。
【００３８】
次に、図５に示す様に、一対のアーム部１６ａ，１６ｂの先端２７ａ，２７ｂ間にデンタルフロスＦを横架させ、他方のアーム部１６ａの先端近傍部分であり、切込部２０ａから上述した上面２９ａまでの巻付部分３３ａに複数回巻き付ける。その際、デンタルフロスのテンションを所望のテンションに調整して巻き付けるとよい。
なお、巻付は、本実施例の方法に限るものではなく、例えば、デンタルフロスＦを係止部２４ｂに巻き付け、切込部２０ｂを通過させ、他方のアーム部１６ａの切込部２０ａを通過させ、その後係止部２４ａに巻き付ける方法でもよい。
【００３９】
次に、図５に示す様に、デンタルフロスＦを案内部２１ａに沿って張設し、巻付部１８ａに巻き付けて、デンタルフロスＦのデンタルフロスホルダ１０への取付を完了する。
【００４０】
この様に、本実施形態のデンタルフロスホルダ１０によれば、一対のアーム部１６ａ，１６ｂの先端２７ａ，２７ｂ間に横架されたデンタルフロスＦの張り具合を所望の張り具合に調整し、その張り具合を維持した状態でデンタルフロスＦを先端２７ａ，２７ｂ近傍に緊縛でき、更に、デンタルフロスＦの両端は、巻付部１８ａ，１８ｂにそれぞれ緊縛できるので、デンタルフロスＦの張り具合を調整し易いとともに、一旦張設したデンタルフロスＦが緩み難いデンタルフロスホルダを提供できる。
【００４１】
更に、本実施形態のデンタルフロスホルダ１０によれば、一対のアーム部１６ａ，１６ｂの分岐箇所としての前端部１５近傍は、上方に突出する部材を配置することなく略平坦に形成されるので、歯間清掃時に当該箇所に指を添え易く清掃し易いデンタルフロスホルダを提供できる。
【００４２】
また、本実施形態の係止部２４ａ，２４ｂは、図１、図２及び図５に示す様に、アーム部１６ａ，１６ｂの先端２７ａ，２７ｂ近傍の上面から前方に突出するため、デンタルフロスＦを先端２７ａ，２７ｂ間に横架させると、その横架方向に略直交方向に突出する。従って、デンタルフロスＦの横架方向に沿ってデンタルフロスホルダ１０を動かして歯間を清掃する際、係止部２４ａ，２４ｂが舌の側部や頬粘膜に触れにくいので、更に歯間清掃をし易いデンタルフロスホルダを提供できる。
【００４３】
次に、本発明の実施形態の第１変形例に係るデンタルフロスホルダ５０について、図６を用いて説明する。なお、図６（ａ）は、デンタルフロスホルダ５０を説明する左側面図であり、図６（ｂ）は、デンタルフロスホルダ５０の一部底面説明図である。
本変形例のデンタルフロスホルダ５０と、上述したデンタルフロスホルダ１０との主な相違点は、図６に示す様に、把持部１２´の後端部に舌クリーナを備える点にあり、以下、デンタルフロスホルダ１０と同様な部材には同じ符号或いは同じ符号に「´」を設けた符号を付し、その説明を省略する。
【００４４】
本変形例に係るデンタルフロスホルダ５０は、帯状部材２９´と舌クリーナ５２とを備える。
帯状部材２９´と上述した帯状部材２９との相違点は、図６に示す様に、その後端からやや前方の位置に、凹部５４を備える点である。この凹部５４は、舌の清掃時にデンタルフロスホルダ５０の裏側に溜まる唾液を逃がす手段である。
【００４５】
次に、舌クリーナ５２は、図６に示すように、例えば上述した板状本体部材１１の後縁１３ｃの略幅の長さを有する三角柱状部材で形成される。そして、舌クリーナ５２は、図６（ａ）に示す様に、その長手方向を前記幅方に向け、しかも一つの頂辺を下方に向けた状態で、帯状部材２９´の後端部２９ｃ´の下端に、帯状部材２９´と一体に形成される。
従って、舌クリーナ５２を舌に当て、把持部１２の長手方向に摺動させることで舌のクリーニングが可能となる。
なお、舌クリーナ５２は、本変形例の形状に限るものではなく、舌の上面を摺動できる任意の形状としてもよい。
【００４６】
これまで説明した様に、本実施形態のデンタルフロスホルダ１０，５０によれば、デンタルフロスの張り具合を調整し易いとともに、一端張設したフロスが緩み難く、しかも歯間清掃時に扱い易いデンタルフロスホルダを提供できる。
【００４７】
以上、本発明の実施形態のうちいくつかを図面に基づいて詳細に説明したが、これらはあくまでも例示であり、当業者の知識に基づいて種々の変形、改良を施した他の形態で本発明を実施することが可能である。
【符号の説明】
【００４８】
１０，５０  デンタルフロスホルダ
１２  把持部
１４  張設部
１３ｃ  後縁（後端部）
１５  把持部の前端部
１６ａ，１６ｂ  一対のアーム部
１７ａ，１７ｂ  段部
１８ａ，１８ｂ  巻付部
２０ａ，２０ｂ  切込部
２１ａ，２１ｂ  案内部
２２ａ，２２ｂ  溝部
２４ａ，２４ｂ  係止部
２７ａ，２７ｂ  先端
２６  巻付芯材
２８  カバー板材
３０  突起部
５２  舌クリーナ
【図１】
2017108931.tif 000003
【図２】
2017108931.tif 000004
【図３】
2017108931.tif 000005
【図４】
2017108931.tif 000006
【図５】
2017108931.tif 000007
【図６】
2017108931.tif 000008